(57)【要約】  モジュール（１）に、上面（１３）と底面（１４）の間でのびる４つの側面（１１、１２）を有する平行六面体の本体（１０）を設け、本体（１０）に、分配または調整装置を内部に収容するために上面及び下面に開口する内部チャンバ（２）を設ける。この内部チャンバに、上部ボアと、上部ボアよりも小さな直径を有する中間ボアと、中間ボアよりも小さな直径を有する下部ボアとを連続して設け、隣接する同様のモジュールのプレートに取り付けるために各側面にプレート（１５）を設け、このプレートに、取り付けネジの通路として用いられる周辺穴（１７）と、上部ボアまたは中間ボアに穴をあけるドリルを案内するのに適した中央の閉鎖穴（１８）とを設ける。
2020532696.tif 000002
【特許請求の範囲】
【請求項１】
加圧ガスを分配及び調整するためのキット用モジュール（１）であって、このモジュール（１）は、平行六面体の一般的な形状を有し、一対の平行で、互いに平行な上面（１３）と下面（１４）の間にのびる４つの側面（１１，１２）を有する本体（１０）を備え、
本体（１０）には、その本体（１０）を貫通して上面（１３）及び下面（１４）に開口する内部チャンバ（２）が形成され、前記内部チャンバ（２）は、内部チャンバ（２）内を通過するガスを分配または調整するために設けられる分配または調整装置（３ａ，３ｂ，４ａ，４ｂ，４ｃ，５，６）をその内部に受け入れることを目的とし、
前記内部チャンバ（２）は、
上面（１３）に開口する円筒状の上部ボア（２１）と、
上部ボア（２１）の内径（Ｄ１）よりも小さな内径（Ｄ２）を有する円筒状の中間ボア（２２）と、
下面（１４）に開口し、中間ボア（２２）の内径（Ｄ２）よりも小さな内径（Ｄ３）を有する円筒状の下部ボア（２３）と、を含み、
隣接する同様のモジュール（１）のサブプレート（１５）に締結するように構成されたそれぞれの側面（１１，１２）にサブプレート（１５）が設けられ、前記サブプレート（１５）は、締結ネジ（１７０）の通路として機能する周辺穴（１７）と、特に内部チャンバ（２）の上部ボア（２１）または中間ボア（２２）に穴を形成するドリルを案内するように構成される中央の閉止穴（１８）とを有する
モジュール。
【請求項２】
請求項１において、
前記分配または調整装置（３ａ，３ｂ，４ａ，４ｂ，４ｃ，５，６）に固定されるブラケット（８，８０，１８０）を締結するためにネジ穴（２０）が上面（１３）に形成される
モジュール。
【請求項３】
加圧ガスを分配及び調整するためのキットであって、
前記キットは、
請求項１または２に記載の複数のモジュール（１）であって、全てが同一のモジュール（１）と、
前記モジュール（１）の本体の内部チャンバ内を通過するガスの分配または調整のために設けられる複数の分配または調整装置（３ａ，３ｂ，４ａ，４ｂ，４ｃ，５，６）と、を含み、
各分配または調整装置（３ａ，３ｂ，４ａ，４ｂ，４ｃ，５，６）は、いずれかのモジュール（１）の内部チャンバ（２）内に収容されるように構成された管状体によって形成されるカートリッジ（７）を含み、前記カートリッジ（７）は、
少なくとも１つのＯリングガスケットを支持し、上部ボア（２１）にしっかりと取り付けるように構成される円筒状の第１上部スリーブ（７１）と、
一方では上部ボア（２１）の内径（Ｄ１）及び第１上部スリーブ（７１）の外径よりも小さく、他方では中間ボア（２２）の内径（Ｄ２）よりも大きな外径を有する円筒状の第２上部スリーブ（７２）であって、前記第２上部スリーブ（７２）によって少なくとも部分的に区切られる上部チャンバ（７６１）に開口する少なくとも１つの上部貫通穴（７２０）を有する第２上部スリーブ（７２）と、
少なくとも１つのＯリングガスケットを支持し、中間ボア（２２）にしっかりと取り付けるように構成される第１中間スリーブ（７３）であって、第２上部スリーブ（７２）の外形よりも小さな外形を有する円筒状の第１中間スリーブ（７３）と、
一方では中間ボア（２２）の内径（Ｄ２）及び第１中間スリーブ（７３）の外径よりも小さく、他方では下部ボア（２３）の内径（Ｄ３）よりも大きな外径を有する円筒状の第２中間スリーブ（７４）であって、前記第２中間スリーブ（７４）によって少なくとも部分的に区切られる中間チャンバ（７６２）に開口する少なくとも１つの中間貫通穴（７４０）を有する第２中間スリーブ（７４）と、
第２中間スリーブ（７４）の外径よりも小さい外径を有する円筒状の下部スリーブ（７５）であって、少なくとも１つのＯリングガスケットを支持し、下部ボア（２３）にしっかりと取り付けるように構成される下部スリーブ（７５）と、
を含む分配及び調整キット。
【請求項４】
請求項３において、
少なくとも１つの分配または調整装置（３ａ，３ｂ，４ａ，４ｂ，４ｃ，５，６）は、カートリッジ（７）の内部に、中間チャンバ（７６２）と上部チャンバ（７６１）の間の連通を閉じる位置と、中間チャンバ（７６２）と上部チャンバ（７６１）の間の連通を開く位置との間で、シート（３３０，４３０，５３）に対して移動可能なプランジャ（３１，４１）を含む
分配及び調整キット。
【請求項５】
請求項４において、
前記分配または調整装置は、以下の調整器部材を含む少なくとも１つの圧力調整器（３ａ，３ｂ）を含み、調整部材は、
上流チャンバを形成する中間チャンバ（７６２）の第２中間スリーブ（７４）の内部に摺動可能に取り付けられるピストン（３０）であって、プランジャ（３１）を形成する上端と、Ｏリングガスケットに包囲され、外に開放されない下部オリフィス（７６３）内を下部スリーブ（７５）の内部で摺動する下端（３２）とを有するピストン（３０）と、
第２上部スリーブ（７２）の内部に静止して装着され、下流チャンバを形成する上部チャンバ（７６１）を区画する下流本体（３３）であって、プランジャ（３１）と協働するように構成されたリリーフシートを形成するシート（３３０）を区画する中央穴を有する下流本体（３３）と、
ピストン（３０）とプランジャ（３１）を開放位置の方向へ付勢する下流チャンバの減圧力に抗して、ピストン（３０）とプランジャ（３１）を閉鎖位置の方向へ付勢する弾性付勢部材（３４）と、
第１上部スリーブ（７１）の内部に静止して取り付けられる上部プラグ（３７）と、
上部プラグ（３７）を横切り、プランジャ（３１）に開放位置の方向へ力を加えるように構成されたタペット（３８）と、を備え、
ピストン（３０）は、一方では下流本体（３３）の側部で開いてドレンシートを形成する上端と、他方では下部スリーブ（７５）の下部オリフィス（７６３）に開口する下端とを含む、相対する２つの端部を有する内側貫通通路（３００）を有し、タペット（３８）がドレンシートに圧接してドレンシートを塞ぐように構成され、
圧力調整器（３ａ，３ｂ）は、さらに、
カートリッジ（７）に締結され、いずれかのモジュール（１）の上面（１３）に圧力調整器（３ａ，３ｂ）を締結するための締結要素（８３）が設けられるブラケット（８）であって、タペット（３８）を摺動可能に取り付けられ且つタペット（３８）に圧接するように構成され、ブラケット（８）を超えて延びるプッシュピストン（８６）が組み込まれるブラケット（８）と、
ブラケット（８）に取り付けられ、プッシュピストン（８６）に、したがってタペット（３８）に作用して、圧力を開放するのに必要なプランジャ（３１）の開放力を設定可能な設定システム（９ａ，９ｂ）と、
を含む分配及び調整キット。
【請求項６】
請求項５において、
設定システムは、ブラケット（８）に締結され、内部に弾性付勢部材（９０１）を支持する支持体（９００）を含む機械設定システムであり、弾性付勢部材（９０１）は、プッシュピストン（８６）を支持する下部ジャーナル（９０２）と、弾性付勢部材（９０１）によってプッシュピストン（８６）に加えられる押付力の設定を可能にするために位置を機械的に設定可能な上部ジャーナル（９０３）と、の間で圧縮される
分配及び調整キット。
【請求項７】
請求項５において、
設定システムは、ブラケットに締結され、内部に密に且つ摺動可能に取り付けられる個体のメインピストン（９２）を収容する支持体（９１）を含む空気圧設定システムであり、このメインピストン（９２）はプッシュピストン（８６）に作用し、メインピストン（９２）によってプッシュピストン（８６）に加えられる押付力の設定を可能にするために、パイロット圧力（ＰＰ）源にさらされる
分配及び調整キット。
【請求項８】
請求項６または７において、
機械設定システム（９ａ）と空気圧設定システム（９ｂ）は、それぞれ、同じブラケット（８）に取り外し可能に取り付けられる支持体（９００，９１）を備え、互いに取り替え可能である
分配及び調整キット。
【請求項９】
請求項７または８において、
メインピストン（９２）は、
パイロット圧力（ＰＰ）が作用する上面を構成する上部セクション（９２１）と、
プッシュピストン（８６）に作用する下面を備える下部（９２２）セクションと、を有し、前記下面は上面よりも表面積が小さい
分配及び調整キット。
【請求項１０】
請求項９において、
前記空気圧設定システム（９ｂ）は、支持体（９１）にしっかりと取り付けられる管状の二次本体（９４）と、二次本体（９４）の内側にしっかりと且つ摺動可能に取り付けられる二次ピストン（９５）とを有する少なくとも１つの二次ステージ（９３）を備え、二次本体（９４）は、
円筒状の上部キャビティを区画する上部（９４１）と、
上部（９４１）の上部キャビティと比較して小さな直径を有する中央穴（９４３）が横切る下部（９４２）と、を有し、
二次ピストン（９５）は、
パイロット圧力（ＰＰ）が作用し、二次本体（９４）の上部（９４１）の上部キャビティにしっかりと取り付けられる上面を構成する上部セクション（９５１）と、
メインピストン（９２）の上面に支持され、二次本体（９４）の下部（９４２）の中央穴（９４３）にしっかりと取り付けられる下面を構成し、二次ピストン（９５）の下面が二次ピストン（９５）の上面よりも小さな表面積を有する下部セクション（９５２）と、を有し、
二次ピストン（９５）には、その下面及び上面に開口する内部貫通通路（９５３）が設けられ、パイロット圧力（ＰＰ）が内部通路（９５３）の全体にわたってメインピストン（９２）の上面に加えられる
分配及び調整キット。
【請求項１１】
請求項４から１０の何れか１つにおいて、
分配または調整装置は、以下の調整部材を含む少なくとも１つのブロックバルブ（４ａ，４ｂ，４ｃ）を有し、調整部材は、
上流チャンバを形成する中間チャンバ（７６２）の第２中間スリーブ（７４）の内部に摺動可能に取り付けられるピストン（４０）であって、プランジャ（４１）を形成する上端と、Ｏリングガスケットに包囲され、外へ開放される下部オリフィス（７６３）の下部スリーブ（７５）の内部で摺動する下端（４２）とを有するピストン（４０）と、
第２上部スリーブ（７２）の内部に静止して取り付けられ、下流チャンバを形成する上部チャンバ（７６１）を区画する下流本体（４３）であって、プランジャ（４１）と協働するシート（４３０）を定める中央穴を有する下流本体（４３）と、
ピストン（４０）とプランジャ（４１）を閉鎖位置の方向へ付勢する弾性付勢部材（４４）と、
第１上部スリーブ（７１）内に静止して取り付けられる上部プラグ（４７）と、
上部プラグ（４７）を横切り、プランジャ（４１）に開放位置の方向へ力を加えるように構成されるタペット（４８）と、を含み、
ブロックバルブ（４ａ，４ｂ，４ｃ）は、さらに、
上部プラグ（４７）に固定され、いずれかのモジュール（１）の上面（１３）にブロックバルブ（４ａ，４ｂ，４ｃ）を締結するための締結要素（８３０）が設けられるブラケット（８０）と、
ブラケット（８０）に取り付けられ、閉鎖位置と開放位置の間でシート（４３０）に対するプランジャ（４１）の相対位置を制御するようにタペット（４８）に作用するアクチュエータ（１９ａ，１９ｂ，１９ｃ）と、
を備える分配及び調整キット。
【請求項１２】
請求項１１において、
ブロックバルブ（４ａ，４ｂ，４ｃ）は、以下の複数のアクチュエータから選択されるアクチュエータを備え、アクチュエータは、
ブラケット（８０）にネジ込まれるプッシュ部材（１９１）に固定されるノブ（１９０）を備え、タペット（４８）を支持するように構成された手動アクチュエータ（１９ａ）と、
ブラケット（８０）に締結され、制御圧力（ＰＣ）源の作用の下でタペット（４８）を支持するように構成されたプッシュピストン（１９３）が横切る支持体（１９２）を含む空気圧アクチュエータ（１９ｂ）と、
ブラケット（８０）に締結され、電気モータ（１９８）の作用の下でタペット（４８）を支持するように構成されたプッシュ部材が横切る支持体（１９７）を含む電気アクチュエータ（１９ｃ）と、
を含む分配及び調整キット。
【請求項１３】
請求項１２において、
ブロックバルブ（４ａ，４ｂ，４ｃ）のアクチュエータ（１９ａ，１９ｂ，１９ｃ）は相互に交換可能であり、各ブロックバルブ（４ａ，４ｂ，４ｃ）は同じ調整部材（４０，４３，４４，４７，４８）と同じブラケット（８０）を有し、前記ブラケット（８０）は、手動アクチュエータ（１９ａ）のプッシュ部材（１９１）、空気圧アクチュエータ（１９ｂ）の支持体（１９２）、及び電気アクチュエータ（１９ｃ）の支持体（１９７）をネジ止めできるネジ付き開口（８９１）を内部に有する
分配及び調整キット。
【請求項１４】
請求項４から１３の何れか１つにおいて、
分配または調整装置は、以下の部材を含む少なくとも１つの逆流防止装置（５）を含み、逆流防止装置（５）は、
下流チャンバを形成する上部チャンバ（７６１）内の第１上部スリーブ（７１）の内部に摺動可能に取り付けられ、プランジャ（５１）を形成する下端を有するピストン（５０）と、
第２上部スリーブ（７２）の内部に静止して装着され、上流チャンバを形成する上部チャンバ（７６１）と中間チャンバ（７６２）を区画する下流本体（５２）であって、シート（５３）に対して取り外し方向に中間チャンバ（７６２）のガスの圧力を受けるプランジャ（５１）と協働するシート（５３）を画定する中央穴を有する下流本体（５２）と、
ピストン（５０）とプランジャ（５１）を閉鎖位置の方向へ付勢する弾性付勢部材（５４）と、を有し、
逆流防止装置（５）は、さらに、いずれかのモジュール（１）の上面（１３）に逆流防止装置（５）を締結するための締結要素（１８３）が設けられたブラケット（１８０）を備え、前記ブラケット（１８０）は、前記弾性付勢部材（５４）が前記ブラケット（１８０）を支持するように閉じた蓋を形成する
分配及び調整キット。
【請求項１５】
請求項３から１４の何れか１つにおいて、
分配または調整装置は、上部チャンバ（７６１）の内部に収容されるフィルタカートリッジ（６０）を備え、且つ中間チャンバ（７６２）に開口する入口を有する少なくとも１つのフィルタ装置（６）を含み、
フィルタ装置（６）は、さらに、いずれかのモジュール（１）の上面（１３）にフィルタ装置（６）を締結するための締結要素（１８３）が設けられたブラケット（１８０）を備え、前記ブラケット（１８０）が閉じた蓋を形成する
分配及び調整キット。
【請求項１６】
請求項３から１５のいずれか１つに記載の分配及び調整キットから少なくとも部分的に形成される、加圧ガスを分配及び調整するためのシステム（１００）であって、
モジュール（１）は、モジュール（１）の少なくとも１つのサブプレート（１５）を、少なくとも１つの隣接するモジュール（１）のサブプレート（１５）に、互いに締結されるサブプレートの中央穴（１８）が連通する状態で締結することにより連結され、
分配または調整装置（３ａ，３ｂ，４ａ，４ｂ，４ｃ，５，６）は、全てまたは一部のモジュール（１）の本体（１０）に、それらのカートリッジ（７）が内部チャンバ（２）の内部に収容される状態で締結され、
他のサブプレート（１５）に締結されるサブプレート（１５）の中央穴（１８）にドリル穴（２６）が形成され、このようなドリル穴（２６）は、連結されたモジュール（１）の分配または調整装置を連絡状態に設定するために、関連するモジュール（１）の内部チャンバ（２）の上部ボア（２１）または中間ボア（２２）に開口する連絡通路を形成する
システム。
【請求項１７】
燃料電池タンクに充填するための気体水素分配ステーションであって、
請求項１６に記載の分配及び調整システム（１００）を少なくとも１つ備える
気体水素分配ステーション。
【発明の詳細な説明】
【技術分野】
【０００１】
本発明は、加圧ガスを分配及び調整するためのキット用モジュール、加圧ガスを分配及び調整するためのそのようなキット、及び加圧ガスを分配及び調整するためのそのようなキットから構成されるシステムに関する。
【背景技術】
【０００２】
本発明は、特に車両内で燃料電池のタンクに供給するための気体水素分配ステーションにおける特定の、そして非限定的な用途を見出すものである。
【０００３】
このような気体水素分配ステーションでは、気体水素は非常に高い（少なくとも５００ｂａｒよりも高く、さらには７００〜１０００ｂａｒよりも高い）圧力に圧縮され、バッファタンクに貯蔵される。バッファタンクの上流及び下流には、燃料電池のタンクに気体水素を安全に逃がし且つ分配するために、分配及び調整システムが必要である。
【０００４】
このような分配及び調整システムには、手動で作動するブロックバルブ、空気圧で作動するブロックバルブ、電気で作動するブロックバルブ（ソレノイドバルブ）、圧力調整器、逆流防止装置（または逆流防止プランジャ）、安全リリーフバルブ、フィルタ装置などの分配または調整装置を使用することが必要である。
【発明の概要】
【発明が解決しようとする課題】
【０００５】
従来、分配及び調整システムは、異なる製造業者から出されている分配または調整装置のアセンブリによって構成される。このシステムは、その構成部品の設計自体が異なり、それらの分配及び調整装置も異なるために、実施が容易でなく、多くのコネクタ、溶接、そして複雑なサポートとメンテナンスを必要とする異種の構成部品から構成される。
【０００６】
本発明は、特に、特定のモジュールに基づいて、キットから構築される分配及び調整システムを提供することにより、前述の欠点を解決することを目的とし、さらには、小型で信頼性が高く、安全で、メンテナンスとサービスが容易で、簡単に使用できるシステムを提供可能にすることを目的とする。
【０００７】
本発明の他の目的は、それぞれの気体水素分配ステーションの製造業者に特有の分配及び調整システムの構造様式の秘密を保持し、したがってそのノウハウの非開示を可能にすることである。
【課題を解決するための手段】
【０００８】
この目的のために、加圧ガスを分配及び調整するためのキット用モジュールが提供され、このモジュールは、平行六面体の一般的な形状を有し、一対の平行で、互いに平行な上面と下面の間にのびる４つの側面を有する本体を備え、
本体には、その本体を貫通して上面及び下面に開口する内部チャンバが形成され、前記内部チャンバは、内部チャンバ内を通過するガスを分配または調整するために設けられる分配または調整装置をその内部に受け入れるように構成され、前記内部チャンバは、
上面に開口する円筒状の上部ボアと、
上部ボアの内径よりも小さな内径を有する円筒状の中間ボアと、
下面に開口し、中間ボアの内径よりも小さな内径を有する円筒状の下部ボアと、を含み
隣接する同様のモジュールのサブプレートに締結するように構成されたそれぞれの側面にサブプレートが設けられ、前記サブプレートは、締結ネジの通路として機能する周辺穴と、特に内部チャンバの上部ボアまたは中間ボアに穴を形成するドリルを案内するように構成される中央の閉止穴と、を有する。
【０００９】
このようなモジュールにより、後述するが、
各モジュールに一つの機能を関連付けること（この目的のため、分配または調整装置がモジュールの本体の内部チャンバに取り付けられる）、
少なくとも１つの入口通路と少なくとも１つの出口通路を本体の内部チャンバとサブプレートの中央穴に形成するために本体に穴を開け、これらの中央穴がモジュールの少なくとも１つの入口と少なくとも１つの出口を明確にすること、及び
モジュールの入口と出口をよりしっかりと接続するようにモジュールのサブプレート同士を連結し、異なるモジュールに取り付けられる分配または調整装置を連絡状態に設定することで、分配及び調整システムを構成することができる。
【００１０】
このようなモジュールにより、予め定められた回路に対応し、その回路に割り当てられた、予め定められた機能を有する分配及び調整システムを容易に構成でき、その結果、必要に応じて機能を置き換えたり修正したりすることや、新たな構成に応じてモジュールを組み替えたりすることさえ可能になる。
【００１１】
本発明では、モジュールを種々の構成に利用できることにより、モジュールに穴を形成せずにモジュールを「ユニバーサル」にすることができ、穴の形成は、留保されたモジュールの使用に応じて行うことができる。
【００１２】
一つの特徴によれば、分配または調整装置に固定されるブラケットを締結するためにネジ穴が上面に形成される。
【００１３】
したがって、分配または調整装置は、本体の上面にネジ止めされたブラケットによってモジュールに締結され、本体の内部チャンバ内の分配または調整装置をしっかりと正しい位置に保持する。
【００１４】
一つの変形例によれば、モジュールは、一体のワンピースに形成される本体によって構成される。
【００１５】
また、本発明は、加圧ガスを分配及び調整するためのキットに関し、キットは、
本発明に係る複数のモジュールであって、全てが同一のモジュールと、
モジュールの本体の内部チャンバ内を通過するガスの分配または調整のために設けられる複数の分配または調整装置と、を含み、
各分配または調整装置は、いずれかのモジュールの内部チャンバ内に収容されるように構成された管状体によって形成されるカートリッジを含み、このカートリッジは、
少なくとも１つのＯリングガスケットを支持し、上部ボアにしっかりと取り付けるように構成される円筒状の第１上部スリーブと、
一方では上部ボアの内径及び第１上部スリーブの外径よりも小さく、他方では中間ボアの内径よりも大きい外径を有する円筒状の第２上部スリーブであって、前記第２上部スリーブによって少なくとも部分的に区切られる上部チャンバに開口する少なくとも１つの上部貫通穴を有する第２上部スリーブと、
少なくとも１つのＯリングガスケットを支持し、中間ボアにしっかりと取り付けるように構成される第１中間スリーブであって、第２上部スリーブの外径よりも小さな外径を有する円筒状の第１中間スリーブと、
一方では中間ボアの内径及び第１中間スリーブの外径よりも小さく、他方では下部ボアの内径よりも大きな外径を有する円筒状の第２中間スリーブであって、前記第２中間スリーブによって少なくとも部分的に区切られる中間チャンバに開口する少なくとも１つの中間貫通穴を有する第２中間スリーブと、
第２中間スリーブの外径よりも小さな外形を有する円筒状の下部スリーブであって、少なくとも１つのＯリングガスケットを支持し、下側ボアにしっかりと取り付けるように構成される下部スリーブと、
を含む。
【００１６】
したがって、各分配または調整装置は、同じカートリッジ、つまり同じ配置、同じ形状、そして同じ寸法のカートリッジを有し、このことにより、同じ内部チャンバ、つまり同じ配置、同じ形状、そして同じ寸法の内部チャンバを有するどのモジュールでも、異なる複数の機能を統合することが可能になる。
【００１７】
特定の実施形態において、少なくとも１つの分配または調整装置は、カートリッジの内部に、中間チャンバと上部チャンバの間の連通を閉じる位置と、中間チャンバと上部チャンバの間の連通を開く位置との間で、シートに対して移動可能なプランジャを含む。
【００１８】
可能な第１の例によれば、分配または調整装置は、以下の調整部材を含む少なくとも１つの圧力調整器を含み、調整部材は、
上流チャンバを形成する中間チャンバの第２中間スリーブの内部に摺動可能に取り付けられるピストンであって、プランジャを形成する上端と、Ｏリングガスケットに包囲され、外に開放されない下部オリフィス内を下部スリーブの内部で摺動する下端とを有するピストンと、
第２上部スリーブの内部に静止して取り付けられ、（リリーフ圧力で）下流チャンバを形成する上部チャンバを区画する下流本体であって、プランジャと協働するように構成されたリリーフシートを形成するシートを区画する中央穴を有する下流本体と、
ピストンとプランジャを開放位置の方向へ付勢する下流チャンバの減圧力に抗して、ピストンとプランジャを閉鎖位置の方向に付勢する弾性付勢部材と、
第１上部スリーブの内部に静止して取り付けられる上部プラグと、
上部プラグを横切り、プランジャに開放位置の方向へ力を加えるように構成されたタペットと、を備え、
ピストンは、一方では下流本体の側面で開いてドレンシートを形成する上端と、他方では下部スリーブの下部オリフィスに開口する下端とを含む、相対する２つの端部を有する内部貫通通路を有し、タペットがドレンシートに圧接してドレンシートを塞ぐように構成され、
圧力調整器は、さらに、
カートリッジに締結され、いずれかのモジュールの上面に圧力調整器を締結するための締結要素が設けられるブラケットであって、タペットに摺動可能に取り付けられ且つタペットに圧接するように構成され、ブラケットを超えて延びるプッシュピストンが組み込まれるブラケットと、
ブラケットに取り付けられ、プッシュピストンに、したがってタペットに作用して、圧力を開放するのに必要なプランジャの開放力を設定可能な設定システムと、を含む。
【００１９】
したがって、このような圧力調整器は、特に、カートリッジの形状、したがってモジュールの内部チャンバの形状に適合する。
【００２０】
圧力調整器の第１の実施形態では、設定システムは、ブラケットに締結され、内部に弾性付勢部材を支持する支持体を含む機械設定システムであり、弾性付勢部材は、プッシュピストンを支持する下部ジャーナルと、弾性付勢部材によってプッシュピストンに加えられる押付力の設定を可能にするために位置を機械的に設定可能な上部ジャーナルと、の間で圧縮される。
【００２１】
圧力調整器の第２の実施形態では、設定システムは、ブラケットに締結され、内部に密に且つ摺動可能に取り付けられる固体のメインピストンを収容する支持体を含む空気圧設定システムであり、このメインピストンはプッシュピストンに作用し、メインピストンによってプッシュピストンに加えられる押付力の設定を可能にするために、パイロット圧力源にさらされる。
【００２２】
機械設定システムと空気圧設定システムは、それぞれ、同じブラケットに取り外し可能に取り付けられる支持体を備え、互いに取り替え可能であることが好ましい。
【００２３】
したがって、ブラケットは同一であり、必要なすべては、ブラケットから機械設定システムを取り外して空気圧設定システムに置き換えること、またはその逆をすることである。
【００２４】
特定の実施形態において、メインピストンは、
パイロット圧力が作用する上面を備える上部と、
プッシュピストンに作用する下面を備える下部と、を有し、前記下面は上面よりも表面積が小さい。
【００２５】
空気圧設定システムは、支持体にしっかりと取り付けられる管状の二次本体と、二次本体の内部にしっかりと且つ摺動可能に取り付けられる二次ピストンとを有する少なくとも１つの二次ステージを備えることが好ましく、二次本体は、
円筒状の上部キャビティを区画する上部と、
上部キャビティと比較して小さな直径を有する中央穴が横切る下部と、を有し、
二次ピストンは、
パイロット圧力が作用し、二次本体の上部の上部キャビティにしっかりと取り付けられる上面を構成する上部セクションと、
メインピストンの上面に支持され、二次本体の下部の中央穴にしっかりと取り付けられる下面を構成し、前記二次ピストンの下面が二次ピストンの上面よりも小さな表面積を有する下部セクションと、を有し、
二次ピストンには、その下面及びその上面に開口する内部貫通通路が設けられ、パイロット圧力が、前記内部通路の全体にわたってメインピストンの上面に加えられる
ことが好ましい。
【００２６】
このように、繰り返され得るそのような二次ステージにより、パイロット圧力と、メインピストンによってプッシュピストンに及ぼされる力との間の減少比を導入することが可能になって、垂直方向の嵩を制限しながら、パイロット圧力を低減して作業する可能性が生まれる。このような空気圧設定システムを組み込むか、または少なくとも１つの二次ステージを備えたドーム型の圧力調整器は、分配及び調整キットのこの関係以外の関係で考え得ることに留意すべきである。
【００２７】
可能な第２の例によれば、分配または調整装置は、以下の調整部材を有する少なくとも１つのブロックバルブを有し、調整部材は、
上流チャンバを形成する中間チャンバの第２中間スリーブの内部に摺動可能に取り付けられるピストンであって、プランジャを形成する上端と、Ｏリングガスケットに包囲され、外へ開放される下部オリフィスの下部スリーブの内部で摺動する下端とを有するピストンと、
第２の上部スリーブの内部に静止して取り付けられ、下流チャンバを形成する上部チャンバを区画する下流本体であって、プランジャと協働するシートを定める中央穴を有する下流本体と、
ピストンとプランジャを閉鎖位置の方向へ付勢する弾性付勢部材と、
第１上部スリーブの内部に静止して取り付けられる上部プラグと、
上部プラグをしっかりと横切り、プランジャに開放位置の方向へ力を加えるように構成されるタペットと、を含み、
ブロックバルブは、さらに、
上部プラグに固定され、いずれかのモジュールの上面にブロックバルブを締結するための締結要素が設けられるブラケットと、
ブラケットに取り付けられ、閉鎖位置と開放位置の間でシートに対するプランジャの相対位置を制御するようにタペットに作用するアクチュエータと、
を備える。
【００２８】
したがって、このようなブロックバルブは、特に、カートリッジの形状、したがってモジュールの内部チャンバの形状に適合する。
【００２９】
特定の実施形態では、ブロックバルブは、以下の複数のアクチュエータから選択されるアクチュエータを備え、複数のアクチュエータは、
ブラケットにネジ込まれるプッシュ部材に固定されるノブを備え、タペットを支持するように構成された手動アクチュエータと、
ブラケットに締結され、制御圧力源の作用の下でタペットを支持するように構成されたプッシュピストンが横切る支持体を含む空気圧アクチュエータと、
ブラケットに締結され、電気モータの作用の下でタペットを支持するように構成されたプッシュ部材が横切る支持体を含む電動アクチュエータと、を含む。
【００３０】
一つの特徴によれば、ブロックバルブの複数のアクチュエータは相互に交換可能であり、各ブロックバルブは同じ調整部材と同じブラケットを有する。前記ブラケットは、手動アクチュエータのプッシュ部材、空気圧アクチュエータの支持体、及び電気アクチュエータの支持体をネジ止めできるネジ付き開口を内部に有する。
【００３１】
したがって、１つのタイプのアクチュエータを別のタイプのアクチュエータに容易に置き換えることができ、不具合のあるアクチュエータを、メンテナンスまたは修理との関連で新たなアクチュエータに交換することも可能である。
【００３２】
可能な第３の例によれば、分配または調整装置は、以下の部材を含む少なくとも１つの逆流防止装置を有し、逆流防止装置は、
下流チャンバを形成する上部チャンバ内の第１上部スリーブの内部に摺動可能に取り付けられ、プランジャを形成する下端を有するピストンと、
第２上部スリーブの内部に静止して装着され、上流チャンバを形成する上部チャンバと中間チャンバを区画する下流本体であって、シートに対して取り外し方向に中間チャンバのガスの圧力を受けるプランジャと協働するシートを画定する中央穴を有する下流本体と、
ピストンとプランジャを閉鎖位置の方向へ付勢する弾性付勢部材と、を有し、
逆流防止装置は、さらに、いずれかのモジュールの上面に逆流防止装置を締結するための締結要素が設けられたブラケットを備え、前記ブラケットは、前記弾性付勢部材が前記ブラケットを支持するように閉じた蓋を形成する。
【００３３】
可能な第４の例によれば、分配または調整装置は、上部チャンバの内部に収容されるフィルタカートリッジを備え、且つ中間チャンバに開口する入口を有する少なくとも１つのフィルタ装置を有し、フィルタ装置は、さらに、いずれかのモジュールの上面にフィルタ装置を締結するための締結要素が設けられたブラケットを備え、前記ブラケットが閉じた蓋を形成する。
【００３４】
また、本発明は、本発明に係る分配及び調整キットから少なくとも部分的に形成される、加圧ガスを分配及び調整するためのシステムに関し、このシステムでは、
モジュールは、モジュールの少なくとも１つのサブプレートを、少なくとも１つの隣接するモジュールのサブプレートに、互いに締結されるサブプレートの中央穴が連通する状態で締結することにより連結され、
分配または調整装置は、全てまたは一部のモジュールの本体に、それらのカートリッジが内部チャンバの内部に収容される状態で締結され、
他のサブプレートに締結されるサブプレートの中央穴にドリル穴が形成され、このようなドリル穴は、連結されたモジュールの分配または調整装置を連絡状態に設定するために、関連するモジュールの内部チャンバの上部ボアまたは中間ボアに開口する連絡通路を形成する。
【００３５】
また、本発明は、燃料電池タンクに充填するための気体水素分配ステーションに関し、前記気体水素分配ステーションは、上述した分配及び調整システムを少なくとも１つ備える。
【００３６】
本発明の他の特徴及び効果は、添付の図面を参照してなされる、非限定的な実施例に関する以下の詳細な説明により明らかになるであろう。
【図面の簡単な説明】
【００３７】
【図１】図１は、本発明に係るモジュールの概略の斜視図である。
【図２】図２は、図１のモジュールの上面の概略図である。
【図３】図３は、図１のモジュールの側面の概略図である。
【図４】図４は、連絡通路を形成するドリル穴を形成しない未加工状態での、側面の１つ及び上面に直角の断面における図１のモジュールの概略断面図である。
【図５】図５は、連絡通路を形成するドリル穴を備える実施形態の、側面の１つ及び上面に直角の断面における図１のモジュールの概略断面図である。
【図６】図６は、連絡通路を形成するドリル穴の配置の１０の構成例における、上面に平行な断面での図１のモジュールの概略断面図である。
【図７】図７は、本発明に係る分配及び調整システムを形成するために、２つの別個の構成で連結された複数のモジュールの概略上面図である。
【図８】図８は、本発明に係る分配及び調整システムを形成するために、２つの別個の構成で連結された複数のモジュールの概略上面図である。
【図９】図９は、本発明に係る分配及び調整キットまたはシステムに適する分配または調整装置用カートリッジの概略側面図である。
【図１０】図１０は、図９のカートリッジの概略断面図であり、外へ解放されない下部オリフィスを備えた実施形態を示す。
【図１１】図１１は、図９のカートリッジの概略断面図であり、外へ解放される下部オリフィスを備えた実施形態を示す。
【図１２】図１２は、機械設定システムを備えた圧力調整器タイプの分配または調整装置の概略側面図である。
【図１３】図１３は、図５に係るモジュールに配置された、図１２の機械設定システムを備えた圧力調整器の断面図である。
【図１４】図１４は、空気圧設定システムを備えた、またはドーム型の圧力調整器タイプの分配または調整装置の概略側面図である。
【図１５】図１５は、図５に係るモジュールに配置された、図１４の空気圧設定システムを備えた圧力調整器の断面図である。
【図１６】図１６は、図１４の空気圧設定システムを備えた圧力調整器を、単独で、図１５の断面とは異なる断面で示す断面図である。
【図１７】図１７は、手動アクチュエータを備えたブロックバルブタイプの分配または調整装置の概略側面図である。
【図１８】図１８は、図１８は、図５に係るモジュールに配置された、図１７の手動アクチュエータを備えたブロックバルブの断面図である。
【図１９】図１９は、空気圧アクチュエータを備えたブロックバルブタイプの分配または調整装置の概略側面図である。
【図２０】図２０は、図５に係るモジュールに配置された、図１９の空気圧アクチュエータを備えたブロックバルブの断面図である。
【図２１】図２１は、図５に係るモジュールに配置された、電気アクチュエータを備えたブロックバルブタイプの分配または調整装置の概略断面図である。
【図２２】図２２は、図１７から図２１のブロックバルブ用の手動、空気圧、及び電動アクチュエータの互換性を示す概略図でる。
【図２３】図２３は、逆流防止装置タイプの分配または調整装置の概略側面図である。
【図２４】図２４は、図５に係るモジュールに配置された、図２２の逆流防止装置の断面図である。
【図２５】図２５は、図５に係るモジュールに配置された、フィルタ装置タイプの分配または調整装置の断面図である。
【図２６】図２６は、図１〜５に係るモジュールと図１２〜２５に係る分配または調整装置を組み合わせた分配及び調整システムの実施形態の概略斜視図である。
【図２７】図２７は、図１〜５に係るモジュールと、図１２〜２５に係る分配または調整装置、さらにコレクタを組み合わせた分配及び調整システムの実施形態の概略斜視図である。
【図２８】図２８は、図１〜５に係るモジュールと、図１２〜２５に係る分配または調整装置、さらにコレクタを組み合わせた分配及び調整システムの実施形態の概略斜視図である。
【図２９】図２９は、図２７及び図２８の分配及び調整システムに組み込まれたコレクタの概略側面図、正面図、及び上面図である。
【図３０】図３０は、図２９のコレクタの、内部のドリル穴の３つの構成例を示す概略断面図である。
【発明を実施するための形態】
【００３８】
図１から図５を参照すると、本発明の実施形態に係るモジュール１は、平行六面体の一般的な形状、より具体的には立方体の本体１０を有する金属材料からなる一体部品によって形成される。
【００３９】
この本体１０は、
対になって平行な４つの側面１１，１２、つまり互いに平行な２つの第１の側面１１と、互いに平行で第１の側面１１に直角の２つの第２の側面１２、及び
互いに並行な上面１３及び下面１４を有し、
４つの側面１１，１２は、上面１３及び下面１４の間にのびる。
【００４０】
さらに、各側面１１，１２に、対応する側面１１、１２と平行に、そこから間隔を空けて、サブプレート１５が設けられ、サブプレート１５は、リブ１６によって対応する側面１１、１２に連結されている。全てのサブプレート１５は、形状と寸法が同一である。
【００４１】
各サブプレート１５は、別のモジュール１のサブプレート１５に締結するように構成され、そのために、各サブプレート１５は、図７及び図８に示すように、２つのサブプレート１５をボルト締めで固定するためのナットと協働する複数の締結ネジ１７０の通路として機能する周辺貫通穴１７を有する。図示の例では、周辺孔１７の数は４つである。
【００４２】
また、各サブプレート１５は、その中央に、上述した内部チャンバ２に開口するドリル穴のための入口ポイントとして、さらにはガイドとして機能する中央閉止穴１８を有する。
【００４３】
したがって、モジュール１は、本体１０を貫通して横切って本体１０に形成されて上面１３及び下面１４に開口する内部チャンバ２を有する。この内部チャンバ２は、上面１３の中央に形成され、分配または調整装置３ａ，３ｂ，４ａ，４ｂ，４ｃ，５，６（後述）を内部に収容するためのものであり、この分配または調整装置３ａ，３ｂ，４ａ，４ｂ，４ｃ，５，６は、内部チャンバ２を通過するガスの分配または調整のために設けられる。
【００４４】
図４及び図５に示すように、この内部チャンバ２は、さらに、
上面１３に開口し、内径Ｄ１を有する円筒状で滑らかな上部ボア２１、
上部ボア２１の内径Ｄ１よりも小さい内径Ｄ２を有する円筒状で滑らかな中間ボア２２、及び
下面１４に開口し、中間ボア２２の内径Ｄ２よりも小さい内径Ｄ３を有する円筒状で滑らかな下部ボア２３を有する。
【００４５】
したがって、この内部チャンバ２は、
上部ボア２１と中間ボア２２との間の上部内側ショルダ２４と、
中間ボア２２と下部ボア２３との下部内側ショルダ２５と
を有する。
【００４６】
分配または調整装置３ａ，３ｂ，４ａ，４ｂ，４ｃ，５，６のブラケット８，８０または１８０（後述）を固定するために、ネジ山付き閉止穴２０が上面１３に形成されている。ネジ穴２０の数は４つである。
【００４７】
使用するために、図５に示すように、モジュール１は少なくとも２つのドリル穴２６を形成する必要があり、各ドリル穴は、中心穴１８から始まって、内部チャンバ２、より具体的には上部ボア２１または中間ボア２２に開口する。
【００４８】
分配または調整装置３ａ，３ｂ，４ａ，４ｂ，４ｃ，５，６によっては、２つの構成が考えられ、
上部ボア２１が、分配または調整装３ａ，３ｂ，４ａ，４ｂ，４ｃ，５，６の上流チャンバ（またはガス入口チャンバ）と連通し、中間ボア２２が、分配または調整装置３ａ，３ｂ，４ａ，４ｂ，４ｃ，５，６の下流チャンバ（またはガス出口チャンバ）と連通するか、または逆に、
上部ボア２１が、分配または調整装置３ａ，３ｂ，４ａ，４ｂ，４ｃ，５，６の下流チャンバ（またはガス出口チャンバ）と連通し、中間ボア２２が、分配または調整装置３ａ，３ｂ，４ａ，４ｂ，４ｃ，５，６の上流チャンバ（またはガス入口チャンバ）と連通する。
【００４９】
したがって、ドリル穴２６がボア２１またはボア２２に開口して上流チャンバと連通する場合、対応する中央穴１８はモジュール１の入口「Ｅ」を形成し、一方、ドリル穴２６がボア２１またはボア２２に開口して下流チャンバと連通する場合、対応する中央穴１８はモジュール１の出口「Ｓ」を形成する。各サブプレート１５には、一つの入口「Ｅ」のみを有するか、または一つの出口「Ｓ」のみを有するか、または入口も出口も有さない。
【００５０】
図６は、穴２６の形成に関して、したがって入口「Ｅ」及び出口「Ｓ」の分布に関して、モジュール１の６つの異なる構成を示し、
（上から順に）第１列の左側の構成は、互いに１８０°に位置する単一の入口「Ｅ」と単一の出口「Ｓ」を有する構成に対応し、つまり、入口「Ｅ」及び出口「Ｓ」は、２つの平行なサブプレート１５の中央の穴１８に対応し、
第１列の中央の構成は、互いに９０°に位置する単一の入口「Ｅ」と単一の出口「Ｓ」を有する構成に対応し、つまり、入口「Ｅ」と出口「Ｓ」は、２つの直交するサブプレート１５の中央の穴１８に対応し、
第１列の右側の構成は、単一の入口「Ｅ」と、入口「Ｅ」に対してそれぞれ９０°と１８０°に位置する２つの出口「Ｓ」を備えた構成に対応し、２つの出口「Ｓ」は互いに９０°で位置し、
第２列の左側の構成は、単一の入口「Ｅ」と、入口「Ｅ」に対して両方が９０°で位置する２つの出口「Ｓ」を備えた構成に対応し、２つの出口「Ｓ」は互いに１８０°で位置し、
第２列の中央の構成は、２つの入口「Ｅ」と１つの出口「Ｓ」を有する構成に対応し、２つの入口「Ｅ」は互いに９０°で位置し、
第２列の右側の構成は、２つの入口「Ｅ」と１つの出口「Ｓ」を有する構成に対応し、２つの入口「Ｅ」は互いに１８０°で位置し、
第３列の左側の構成は、２つの入口「Ｅ」と２つの出口「Ｓ」を備えた構成に対応し、２つの入口「Ｅ」は互いに９０°で位置し、２つの出口「Ｓ」は互いに９０°で位置し、
第３列の中央の構成は、２つの入口「Ｅ」と２つの出口「Ｓ」を備えた構成に対応し、２つの入口「Ｅ」は互いに１８０°で位置し、２つの出口「Ｓ」は互いに１８０°で位置し、
第３列の右側の構成は、３つの入口「Ｅ」と１つの出口「Ｓ」を有する構成に対応し、
第４列の固有の構成は、１つの入口「Ｅ」と３つの出口「Ｓ」を有する構成に対応している。
【００５１】
したがって、モジュール１は、モジュール１に収容された異なる分配または調整装置３ａ，３ｂ，４ａ，４ｂ，４ｃ，５，６におけるガスの所望の流れ方向に応じて、入口−出口結合または出口−入口結合により、１つ、２つ、または３つの他のモジュール１と連結できる。実際、２つのモジュール１が連結されると、互いに締結されたサブプレート１５の中央の穴１８は、連通状態に設定される。
【００５２】
以下の説明は、分配または調整装置３ａ，３ｂ，４ａ，４ｂ，４ｃ，５，６と、モジュール１へのそれらの一体化を対象とする。
【００５３】
分配または調整装置３ａ，３ｂ，４ａ，４ｂ，４ｃ，５，６は、それが固定されるモジュール１の本体１０の内部チャンバ２を通過するガスを分配または調整するために提供される。
【００５４】
以下に、分配または調整装置３ａ，３ｂ，４ａ，４ｂ，４ｃ，５，６の次の７つの例について説明し、7つの例は、
図１２及び１３に示す機械設定部３ａを備えた圧力調整器、
図１４〜図１６に示す空気圧設定部３ｂ（またはドーム型圧力調整器）を備えた圧力調整器、
図１７及び図１８に示す手動アクチュエータ４ａを備えたブロックバルブ、
図１９及び図２０に示す空気圧アクチュエータ４ｂを備えたブロックバルブ、
図２１に示す電動アクチュエータ４ｃ（またはソレノイドバルブ）を備えたブロックバルブ、
図２３及び２４に示す逆流防止装置５、そして
図２５に示すフィルタ装置６である。
【００５５】
各分配または調整装置３ａ，３ｂ，４ａ，４ｂ，４ｃ，５，６は、いずれかのモジュール１の内部チャンバ２の内部に収容されるように構成された管状体によって形成されたカートリッジ７を備える。このカートリッジ７は、下部オリフィスの貫通性または非貫通性に関する１つの違いを除いて、すべての分配または調整装置３ａ，３ｂ，４ａ，４ｂ，４ｃ，５，６で同一であるという点において汎用である（後述する）。
【００５６】
このカートリッジ７は、
カートリッジ７上のブラケット（後述）に固定できるようにするために外側のタッピングを有する上部継手７０と、
Ｏリングガスケット７９を受け入れるように構成された２つの周溝７１０を有し、上部ボア２１の内径Ｄ１に実質的に等しい外径、より具体的には、上部ボア２１に緊密に調整されて取り付けられるように、所定の取り付けクリアランスだけ内径Ｄ１よりも小さい外径を有する円筒状で滑らかな第１上部スリーブ７１と、
一方では、上部ボア２１の内径Ｄ１及び第１上部スリーブ７１の外径よりも小さく、他方では、中間ボア２２の内径Ｄ２よりも大きい外径を有する円筒状で滑らかな第２上部スリーブ７２であって、この第２上部スリーブ７２によって少なくとも部分的に区画される上部チャンバ７６１に開口する上部貫通穴７２０を有する第２上部スリーブ７２と、
Ｏリングガスケット７９を受け入れるように構成された周溝７３０を有し、第２上部スリーブ７２の外径よりも小さく、かつ、中間ボア２２の内径Ｄ２に実質的に等しい外径、より具体的には、中間ボア２２に緊密に調整されて取り付けられるように、所定の取り付けクリアランスだけ内径Ｄ２よりも小さい外径を有する円筒状で滑らかな第１中間スリーブ７３と、
一方では、中間ボア２２の内径Ｄ２及び第１の中間スリーブ７３の外径よりも小さく、他方では、下部ボア２３の内径Ｄ３よりも大きい外径を有する円筒状で滑らかな第２中間スリーブ７４であって、この第２中間スリーブ７４によって少なくとも部分的に区画される中間チャンバ７６２に開口する中間貫通穴７４０を有する第２中間スリーブ７４と、
Ｏリングガスケット７９を収容するように構成された周溝７５０を有し、第２中間スリーブ７４の外径よりも小さく、下部ボア２３の内径Ｄ３と実質的に等しい外径、より具体的には下部ボア２３に緊密に調製されて取り付けできるようにするために、所定の取り付けクリアランスだけ内径Ｄ３よりも小さい外径を有する円筒形で滑らかな下部スリーブ７５と、を有する。
【００５７】
したがって、カートリッジ７は、
第２上部スリーブ７１と第１中間スリーブ７３との間の上部外側ショルダ７２４と、
第２中間スリーブ７４と下部スリーブ７５との間の下部外側ショルダ７２５と、を有する。
【００５８】
カートリッジ７は、２つの対向する端部、すなわち、上部継手７０に配置された上端７７と、下部スリーブ７５に配置された下端７８とを有する。
【００５９】
カートリッジ７は内部に内部キャビティ７６を有し、内部キャビティ７６は、
上端７７に開口し、実質的に第１中間スリーブ７３まで延びる円筒状で滑らかな上部チャンバ７６１と、
上部チャンバ７６１の内径よりも小さい内径を有し、実質的に下部スリーブ７５まで延びる円筒状で滑らかな中間チャンバ７６２と、
下部スリーブ７５に形成され、中間チャンバ７６２の内径よりも小さい内径を有する円筒状で滑らかな内部オリフィス７６３と、を備える。
【００６０】
図１０の例では、内部オリフィス７６３は、カートリッジ７の下端７８に開口しない程度に外に開放されないため、内部キャビティ７６は閉じられている。
【００６１】
図１１の例では、内部オリフィス７６３は、カートリッジ７の下端７８に（通路７６４を介して）開口する程度に外きに開放されるため、内部キャビティ７６は上端７７から下端７８までカートリッジ７を貫通する。
【００６２】
内部キャビティ７６は、上部チャンバ７６１と中間チャンバ７６２との間に内部ショルダ７６５を有する。
【００６３】
図１３、１５、１７、１９、２０、２３、及び２４に示すように、カートリッジ７がモジュール１の内部チャンバ２に所定の位置に配置されて保持されていると、
下部スリーブ７５は、下部ボア２３に（そのＯリングガスケット７９によって）調整されて密に取り付けられ、モジュール１の下面１４と実質的に面一になり、
下部外側ショルダ７２５が下部内側ショルダ２５に圧接し、
第２中間スリーブ７４は、第２中間スリーブ７４と中間ボア２２との間に中間環状空間２２０を有する中間ボア２２内で延び、ドリル穴２６がこの中間環状空間２２０に開口している関係で、この中間環状空間２２０は、中間穴７４０を介して中間チャンバ７６２と連通し、
第１中間スリーブ７３は、（そのＯリングガスケット７９により）中間ボア２２内に調整されて密に装着され、
上部外側ショルダ７２４は、取り付けクリアランスに対応する間隔で上部内側ショルダ２４と対向して延び、
第２上部スリーブ７２は、第２上部スリーブ７２と上部ボア２１との間に上部環状空間２１０を有する上部ボア２１内に延び、ドリル穴２６がこの上部環状空間２１０に開口している関係で、この上部環状空間２１０は、上部穴７２０を介して上部チャンバ７６１と連通し、
第１上部スリーブ７１は、（その底部Ｏリングガスケット７９によって）上部ボア２１に調整されて密に装着され、
第１上部スリーブ７１は、上部Ｏリングガスケット７９がモジュール１の外側にある状態でモジュール１の上面１３を超えて延び、
上部継手７０は、モジュール１の上面１３を越えて延びる。
【００６４】
以下の説明は、より具体的には、それぞれが以下の調整部材を含む機械設定部３ａ及び空気圧設定部３ｂを備えた圧力調整器に関し、調整部材は、
上流チャンバを形成する中間チャンバ７６２内に第２中間スリーブ７４の内側で摺動可能に装着される（したがって、適切なドリル穴２６を介してモジュール１の少なくとも１つの入口「Ｅ」に接続される）ピストン３０であって、プランジャ３１を形成する上端とＯリングガスケットに包囲される下端３２を有し、上端は、外へ開放されない下部オリフィス７６３内で下部スリーブ７５（図１０の実施形態）内を摺動するピストン３０と、
第２上部スリーブ７２の内部に、Ｏリングガスケットに包囲されて静止して密に取り付けられる下流本体３３であって、中間チャンバ７６２を、下流チャンバを形成する上部チャンバ７６１から分離し（したがって、適切なドリル穴２６を介してモジュール１の少なくとも１つの出口「Ｓ」に接続され）、且つプランジャ３１と協働するように構成されたリリーフシートを形成するシートを画定する中央穴３３０を有する下流本体３３と、
ピストン３０及びプランジャ３１を中間チャンバ７６２と上部チャンバ７６１との間の連通を開く位置の方向に付勢する上部チャンバ７６１（または下流チャンバ）の減圧と対抗して、ピストン３０及びプランジャ３１を中間チャンバ７６２と上部チャンバ７６１との間の連通を閉じる位置の方向に付勢する弾性付勢部材３４であって、ピストン３０の周囲に形成された環状ジャーナルと、ピストン３０の下端３２を包囲するＯリングガスケットの上部の中間チャンバ７６２の底部に固定されたカラー３５との間で圧縮されるバネの形態の弾性付勢部材３４と、
上部チャンバ７６１に静止して取り付けられ、下流本体３３に支持されるリング３６であって、第２上部スリーブ７２の上部穴７２０に対応する周辺穴を有するリング３６と、
第１上部スリーブ７１の内側でＯリングガスケットに包囲される上部プラグ３７であって、リング３６を支持する上部プラグ３７と、
下流本体３３、リング３６及び上部プラグ３７の両方を横断するタペット３８であって、プランジャ３１に開位置の方向へ力を加えるように構成された下端と、カートリッジ７の上端７７を越えて延びる上端とを有するタペット３８と、
を含む。
【００６５】
さらに、ピストン３０は、２つの対向する端部を有する内側貫通通路３００を有し、２つの対向する端部は、
下流本体３３の側面に開口し、（下流側が過圧の場合にドレン排出を可能にするために）ドレンシートを形成し、タペット３８がドレンシートに押し付けられてそれを塞ぐように構成される上端と、
下部スリーブ７５の下部オリフィス７６３に開口する下端と、
を有する。
【００６６】
さらに、圧力調整器３ａ及び３ｂのそれぞれは、中央オリフィス８９が横切り、スリーブ８２によって延長されるトレイ８１を有する中空のブラケット８を含む。
【００６７】
トレイ８１は、モジュール１の上面１３に圧接するように構成された下面を有し、トレイ８１は、上面１３に形成されたネジ穴２０と一致する周辺穴を有しているため、ブラケット８のトレイ８１は、ネジ穴２０にネジ込まれたネジ８３によって上面１３にネジで締結される。したがって、トレイ８１のこれらの周辺穴及びこれらのネジ８３は、いずれかのモジュール１の上面１３に圧力調整器３ａまたは３ｂを締結するための締結要素を形成する。
【００６８】
中央オリフィス８９は、トレイ８１の下面から始まる下部を有し、この下部は、
第一上部スリーブ７１の外径と実質的に同じ内径、より具体的には、モジュール１の上面１３を越えて延びる第１上部スリーブの部分の周りに、シール性を保証するＯリングガスケット７９で密に調製されて取り付けられるように、この外径よりも所定の取り付けクリアランスだけ大きい内径を有する滑らかな部分と、
上部継手７０にネジ込まれるネジ部と、
を有する。
【００６９】
カートリッジ７の上端７７と中央オリフィス８９の内側に設けられた環状ジャーナルとの間の中央オリフィス８９の内側にはスペーサ８４が差し込まれ、スペーサ８４の上には中央オリフィス８９の内側にＯリングガスケット８５が設けられる。
【００７０】
スリーブ８２は、外部タッピングが設けられた上端を有する。
【００７１】
また、ブラケット８は、中央オリフィス８９の上部に摺動可能に装着されたプッシュピストン８６を組み込み、このプッシュピストン８６は、Ｏリングガスケット８５に包囲され、スペーサ８４の内側を摺動してタペット３８に圧接する下端を有する。また、このプッシュピストン８６は、スリーブ８２の上端に固定された蓋８７を横切り、この蓋８７は、プッシュピストン８６が上方へ移動するのを阻止する。プッシュピストン８６は、蓋８７を越えて延びる上端を有する。
【００７２】
さらに、圧力調整器３ａ及び３ｂは、それぞれ、ブラケット８に取り付けられてプッシュピストン８６、したがってタペット３８に作用する設定システム９ａ、９ｂを備え、圧力を軽減するのに必要な、プランジャ３１を開放するための力を設定可能である。
【００７３】
図１２及び図１３に示される機械設定部３ａを備えた圧力調整器に関して、設定システムは機械設定システム９ａであり、機械設定システム９ａは、
スリーブ８２の上端の外部タッピングにネジ込まれることによりブラケット８に外部から固定される管状支持体９００と、
この例ではスプリングである弾性付勢部材９０１であって、プッシュピストン８６に圧接する下部ジャーナル９０２と、弾性付勢部材９０１によってプッシュピストン８６に加えられる押し付け力の設定を可能にするために位置を機械的に設定可能な上部ジャーナル９０３との間で、支持体９００内で圧縮される弾性付勢部材９０１と、
を有する。
【００７４】
より具体的には、上部ジャーナル９０３の位置設定は、支持体９００の上端にネジ込まれて、軸９０５を移動させるために軸９０５に作用するノブ９０４によって行われ、軸９０５は、上部ジャーナル９０３が支持する環状ジャーナルを有する。したがって、ノブ９０４に作用することにより、弾性付勢部材９０１は、下部ジャーナル９０２と上部ジャーナル９０３との間で実質的に圧縮され、したがって、プッシュピストン８６に加えられる力が実質的に大きくなる。
【００７５】
図１４から図１６に示す空気圧設定部３ｂを有する圧力調整器に関し、設定システムは、スリーブ８２の上端の外部タッピングにネジ込まれることでブラケット８に外部で固定される管状の支持体９１を有する空気圧設定システム９ｂであり、この支持体９１は、
スリーブ８２の上端の外部タッピングに外部からネジ込まれた下部管状部９１１と、
下部９１１と比較して拡大され、この拡大された部分９１１に、滑らかな円筒状キャビティを内部に区画する周壁が設けられたた上部管状部９１２と、
下部管状部９１１を上部管状部９１２に接続し、中央穴９１４が設けられた環状部９１３と、
を有する。
【００７６】
支持体９１がブラケット８に固定されると、プッシュピストン８６は、中央穴９１４の内側に導入されるが中央穴９１４を完全には横切らない。
【００７７】
空気圧設定システム９ｂは、支持体９１内で摺動するメインピストン９２をさらに備え、このメインピストン９２は、
Ｏリングガスケットに包囲されることで上部９１２の円筒状キャビティの内部に密に調整されて装着され、パイロット圧が作用する上面を構成する上部セクション９２１と、
中央穴９１４の内側を摺動し、プッシュピストン８６の上端を支持し、プッシュピストン８６に作用する下面を構成し且つこの下面の表面積が上面より小さい下部セクション９２２と、
を有する。
【００７８】
したがって、メインピストン９２は、プッシュピストン８６に作用するために支持体９１に密に且つスライド可能に装着される中実のピストンを形成し、このメインピストン９２は、このメインピストン９２によってプッシュピストン８６に加えられる押付力を設定可能にするためにパイロット圧力ＰＰ源にさらされる。
【００７９】
支持体９１には、メインピストン９２の上部セクション９２１の下面（環状壁９１３のに対向する面）を外気圧と連通させるための通気口９１５が形成されている。
【００８０】
このメインピストン９２によってプッシュピストン８６に加えられる押付力を設定するのに必要なパイロット圧力ＰＰを低下させるために、この空気圧設定システム９ｂは、嵩を小さくしながら低減比を導入できるようにする、以下に説明する少なくとも１つの二次ステージ９３を有する点で興味深い。
【００８１】
図１４から１６の例では、空気圧設定システム９ｂは、２つの二次ステージ９３を含む。
【００８２】
第１の二次ステージ９３は、支持体９１に取り外し可能かつしっかりと固定された管状の二次本体９４と、二次本体９４の内側にしっかりと摺動可能に装着された二次ピストン９３とを有し、二次本体９４は、
円筒状の上部キャビティを区画する上部管状部９４１であって、支持体９１の上部管状部９１２上に載置され、上部管状部９１２、９４１を横切って両端でボルト締めされる複数のロッド９６によって固定される上部管状部分９４１と、
上部管状部９４１の上部キャビティの内径と比較して小さな内径を有する中央穴９４３が横切る下部９４２と、
を有する。
【００８３】
第１二次ステージ９３の二次ピストン９５は、
パイロット圧力ＰＰが作用する上面を構成し、二次本体９４の上部管状部９４１の上部キャビティ内に、Ｏリングガスケットに包囲されることで密に取り付けられる上部セクション９５１と、
メインピストン９２の上部セクション９２１の上面に圧接する下面を有する下部セクション９５２であって、Ｏリングガスケットに包囲されることで二次本体９４の下部９４２の中央穴９４３の内側に密に取り付けられ、二次ピストン９５の下面が二次ピストン９５の上面よりも小さい表面積を有する下部セクション９５２と、
を有する。
【００８４】
さらに、二次ピストン９５には、その下面及び上面に開口する内部貫通通路９５３が形成され、パイロット圧力ＰＰがメインピストン９２の上部セクション９２１の上面に加えられる。このパイロット圧力ＰＰは、メインピストン９２の上部セクション９２１の上面にも加えられるように、この内部通路９５３を介して二次ピストン９５をさらに横切る。
【００８５】
支持体９１には少なくとも１つの通路９１６が設けられ、二次本体９４には少なくとも１つの通路９４４が設けられ、これらが協働して、通気口９１５によって外部の大気圧になっているメインピストン９２の上部セクション９２１の底部（環状壁９１３に対向する）と、二次ピストン９５の上部セクション９５１の底部（下部９４２と対向する）とが連通する。
【００８６】
この第１の二次ステージ９３で、パイロット圧力ＰＰにより、次の２つの力の合計に対応する、結果として生じる力をプッシュピストン８６に加えることができ、その２つの力は、
メインピストン９２の上部セクション９２１の上面によって増大する、パイロット圧力ＰＰに対応するメインピストン９２の押圧力と、
二次ピストン９５の上部セクション９５１の上面によって増大する、パイロット圧力ＰＰに対応する第１二次ステージ９３の二次ピストン９５の押圧力と、である。
【００８７】
図１４から１６に示すように、第１二次ステージ９３と同じ部材を有する第２二次ステージ９３には、
第１の二次ステージ９３の二次本体９４に取り外し可能に且つ密に取り付けられる管状の二次本体９４と、
この第２の二次ステージ９３の二次本体９４の内側に密に且つスライド可能に取り付けられた二次ピストン９５と、
を設けることが可能である。
【００８８】
第２の二次ステージ９３の二次本体９４は、第１の二次ステージ９３の二次本体９４の上部管状部９４１に載り、２つの二次本体９４の上部管状部９４１を横切る同じロッド９６によって上に固定される。
【００８９】
第２の二次ステージ９３の二次ピストン９５には、また、その下面及び上面に開口する内部貫通通路９５３が設けられ、パイロット圧力ＰＰが第２の二次ステージ９３のメインピストン９２の上部セクション９２１の上面に加えられ、このパイロット圧力ＰＰは、第１の２次ステージ９３の二次ピストンの上部セクション９５１の上面にも加えられるように、この内部貫通通路９５３を介して第２の二次ステージ９３の二次ピストン９５をさらに横切る。
【００９０】
したがって、この第２の二次ステージ９３では、パイロット圧力ＰＰにより、次の３つの力の合計に対応する、結果として生じる力をプッシュピストン８６に加えることができ、その３つの力は、
メインピストン９２の押圧力と、
第１の二次ステージ９３の二次ピストン９５の押圧力と、
この二次ピストン９５の上部セクション９５１の上面によって増加する、パイロット圧力ＰＰに対応する第２の二次ステージ９３の二次ピストン９５の押圧力と、である。
【００９１】
したがって、パイロット圧力ＰＰで動作できるようにするために、二次ステージ９３を積み重ねることが可能である。
【００９２】
空気圧設定システム９ｂは、蓋９７をさらに備え、蓋９７は、
支持体９１の上部管状部９１２（空気圧設定システム９ｂが二次ステージ９３を備えていない場合）、または最後の二次ステージ９３の二次本体９４の上部管状部９４１（つまり、１つしかない場合は第１二次ステージ、２つある場合は第２二次ステージ９３、３つある場合は第３二次ステージ９３など）に載り、この上部管状部９１２または９４１に、同じロッド９６と、上部９７１の上部に上部で圧接するボルトと、支持体９１の環状壁９１３の底部に底部で圧接するボルトとで固定される上部９７１と、
Ｏリングガスケットで包囲され、支持体１の上部管状部９１２の円筒状キャビティの内側（空気圧設定システム９ｂが二次ステージ９３を含まない場合）または最後の二次ステージ９３の二次本体９４の上部管状部９４１の円筒状の上部キャビティの内部（空気圧設定システム９ｂが少なくとも１つの二次段９３を含む場合）に密に取り付けられる下部ポ９７２と、を備える。
【００９３】
この蓋９７は、パイロット圧力ＰＰ源が接続される中央オリフィス９７３が横切っている。
【００９４】
機械設定システム９ａと空気圧設定システム９ｂは、いずれもスリーブ８２の上端の外部タッピングにネジ込むことにより取り外し可能に取り付けられてプッシュピストン８６に作用するように構成されているため、交換可能であることに留意すべきである。
【００９５】
以下の説明は、より具体的には、手動アクチュエータ４ａを備えたブロックバルブ、空気圧アクチュエータ４ｂを備えたブロックバルブ、及び電気アクチュエータ４ｃを備えたブロックバルブに関し、それぞれ、調整部材として、
上流チャンバを形成する（したがって、適切なドリル穴２６を介してモジュール１の少なくとも１つの入口「Ｅ」に接続される）中間チャンバ７６２内で第２中間スリーブ７４内に摺動可能に取り付けられたピストン４０であって、プランジャ４１を形成する上端と、Ｏリングガスケットで包囲され且つ向きに開く下部オリフィス７６３内で下部スリーブ７５の内部を摺動する下端４２（図１１の実施形態）とを有し、外の大気圧にさらされるピストン４０と、
Ｏリングガスケットに包囲されて、第２の上部スリーブ７２の内部に静止して密に取り付けられる下流本体４３であって、下流チャンバを形成する上部チャンバ７６１の中間チャンバ７６２を分離し（したがって、適切なドリル穴２６を介してモジュール１の少なくとも１つの出口「Ｓ」に接続され）、プランジャ４１と協働するように構成されたリリーフシートを形成するシートを定める中央穴４３０を有する下流本体４３と、
ピストン４０及びプランジャ４１を、中間チャンバ７６２と上部チャンバ７６１との間の連通を閉じる位置の方向に付勢する弾性付勢部材４４であって、ピストン４０の周囲に形成された環状のジャーナルと、ピストン４０の下端４２を包囲するＯリングガスケットの上部で中間チャンバ７６２の底部に固定されるカラー４５との間で圧縮されるバネの形態である弾性付勢部材４４と、
上部チャンバ７６１に静止して取り付けられ、下流本体４３に圧接し、第２の上部スリーブ７２の上部穴７２０と対応する周辺穴としてのリング４６と、
第１の上部スリーブ７１の内側に、Ｏリングガスケットに包囲されることで、静止して密に取り付けられ、リング４６に圧接する上部プラグ４７と、
下流本体４３、リング４６及び上部プラグ４７の両方を横断するタペット４８であって、中間チャンバ７６２と上部チャンバ７６１の間の連通を開く位置の方向へプランジャ４１に力を加えるように構成された下端と、カートリッジ７の上端７７を越えて延びる上端とを有するタペット４８と、
を有する。
【００９６】
さらに、各ブロックバルブ４ａ，４ｂ，４ｃは、中央オリフィス８９０が横切り、スリーブ８２０によって延長されるトレイ８１０を有する中空のブラケット８０を含む。
【００９７】
トレイ８１０は、モジュール１の上面１３に圧接するように構成された下面を有し、トレイ８１０は、ブラケット８０のトレイ８１０が、ネジ穴２０にネジ込まれたネジ８３０を上面１３にネジ込むことにより締結されるように、上面１３に形成されたネジ穴２０と位置が一致する周辺穴を有する。
【００９８】
したがって、トレイ８１０のこれらの周辺穴及びこれらのネジ８３０は、いずれかのモジュール１の上面１３にブロックバルブ４ａ，４ｂまたは４ｃを締結するための締結要素を構成する。
【００９９】
中央オリフィス８９０は、下部を有し、下部は、トレイ８１０の下面から順に、
第１上部スリーブ７１の外径と実質的に等しい内径、より具体的には、モジュール１の上面１３を超えてのびる第１上部スリーブ７１の部分の周りに、上部でシールを保証するＯリングガスケットで密に調整されて取り付けられるように、この外径よりも所定の取り付けクリアランスだけ大きい内径を有する滑らかな部分と、
上部継手７０にネジ込まれるネジ部と、を有する。
【０１００】
中央オリフィス８９０は、ネジ付きオリフィス８９１を備えた上部を有し、タペット４８はこの上部に開口する。
【０１０１】
さらに、ブロックバルブ４ａ，４ｂ，４ｃのそれぞれは、ブラケット８０に取り付けられ、閉鎖位置と開放位置の間でシート４３０に対するプランジャ４１の相対位置を制御するように、言い換えると、モジュール１の各入口「Ｅ」とモジュール１の各出口「Ｓ」との間の気体の流れの開閉を制御するように、タペット４８に作用するアクチュエータ１９ａ，１９ｂ，１９ｃを備える。
【０１０２】
図１７及び図１８に示す手動アクチュエータ４ａを備えたブロックバルブに関し、アクチュエータは、ブラケット８０の中央オリフィス８９０のネジ付きオリフィス８９１にネジ込まれるネジ部を備えたプッシュ部材１９１に締結されるノブ１９０を備える手動アクチュエータ１９ａであり、プッシュ部材１９１のこのネジ部はタペット４８に圧接する。
【０１０３】
したがって、タップ１９０に作用することにより、プッシュ部材１９１は（ネジ込み／ネジ外しによる）移動して変位し、手動アクチュエータ４ａでブロックバルブを開閉するようにタペット４８に作用する。
【０１０４】
図１９及び図２０に示す空気圧アクチュエータ４ｂを備えたブロックバルブに関し、アクチュエータは、ブラケット８０に締結され、制御圧力ＰＣ源の作用の下でタペットに圧接するように構成されたプッシュピストン１９３が横切る空気圧アクチュエータ１９ｂである。
【０１０５】
支持体１９２は、ブラケット８０の中央オリフィス８９０のネジ付きオリフィス８９１にネジ込まれるソケット１９４を備え、さらに、特にソケット１９４にネジ込むことにより締結される中空の本体１９５を備える。プッシュピストン１９３は、制御圧力ＰＣ源が接続される中央オリフィス１９６が設けられた中空の本体１９５内に、中空の本体１９５内でＯリングガスケットに包囲されることにより、摺動可能に密に取り付けられる。
【０１０６】
プッシュピストン１９３は、定められた制御圧力ＰＣがプッシュピストン１９３に加えられると、タペット４８に圧接するようにソケット１９４を横切るロッドを有する。したがって、定められた制御圧力ＰＣを加えることにより、プッシュピストン１９３は、移動して変位し、空気圧アクチュエータ４ｂでブロックバルブを開閉するようにタペット４８に作用する。
【０１０７】
図２１に示す電動アクチュエータ４ｃを有するブロックバルブに関し、アクチュエータは、ブラケット８０の中央オリフィス８９０のネジ付きオリフィス８９１にネジ込まれる支持体１９７を有する電動アクチュエータ１９ｃであり、ブラケットをプッシュ部材（図示せず）が横切り、プッシュ部材は、このプッシュ部材の移動を制御する電気モータ１９８の作用の下でタペット４８に圧接するように構成される。したがって、電気モータ１９８を制御することにより、プッシュ部材は移動して変異し、電気アクチュエータ４ｃでブロックバルブを開閉するようにタペット４８に作用する。
【０１０８】
図２２に模式的に示すように、手動アクチュエータ１９ａ、空気圧アクチュエータ１９ｂ及び電動アクチュエータ１９ｃは、これら３つのすべてが、ブラケット８０の中央オリフィス８９０のネジ付きオリフィス８９１にネジ込むことにより取り外し可能に取り付けられ、タペット４８に作用するように構成されているため、交換可能であることに注目すべきである。
【０１０９】
以下の説明は、より具体的には、逆流防止プランジャの機能を満足し、且つ以下の部材を有する逆流防止装置５に関し、逆流防止装置は、
下流チャンバを形成する上部チャンバ７６１の第１上部スリーブ７１内に摺動可能に取り付けられ（したがって、適切なドリル穴２６を介してモジュール１の少なくとも１つの出口「Ｓ」に接続される）、プランジャ５１（すなわち逆流防止プランジャ）を形成する下端を有するピストン５０と、
第２上部スリーブ７２の内部に、Ｏリングガスケットで包囲されることにより、静止して密に取り付けられる下流本体５２であって、内側ショルダ７６５に上部穴７２０の下方で当接し、上流チャンバを形成する中間チャンバ７６２から上部チャンバ７６１を分離し（したがって、適切なドリル穴２６を介してモジュール１の少なくとも１つの入口「Ｅ」に接続され）、中間チャンバ７６２内でシート５３から離れる方向にガスの圧力を受けるプランジャ５１と協働するシートを構成する中央穴５３を有する下流本体５２と、
中間チャンバ７６２から上部チャンバ７６１の間の連通を閉じる位置の方向に、ピストン５０とプランジャ５１を下流本体５２へ付勢する弾性付勢部材５４と、
を有する。
【０１１０】
さらに、逆流防止装置５は、閉じた蓋を形成し、硬質のキャップ１８２に固定されたサブプレート１８１を有するブラケット１８０をさらに含む。サブプレート１８１は、上面１３に形成されたネジ穴２０と一致する周辺穴を有し、ブラケット１８０のサブプレート１８１が、ネジ穴２０にネジ込まれるネジ１８３を用いて上面１３にネジ止めすることによって固定される。したがって、トレイ１８１のこれらの周辺穴及びこれらのネジ１８３は、いずれかのモジュール１の上面１３に逆流防止装置５を締結するための締結要素を構成する。
【０１１１】
バネである弾性付勢部材５４は、ブラケット１８０のキャップ１８２とピストン５０との間で圧縮される。
【０１１２】
したがって、入口圧力が、キャリブレーションによって下記の最小圧力を設定できる弾性部材部材５４によって加えられる反対方向の力に対して、プランジャ５１をシート５３から引き離すのに十分な最小圧力を超えた場合に、逆流防止装置５により、入口から（または上流チャンバを形成する中間チャンバ７６２から）出口へ（または下流チャンバを形成する上部チャンバ７６１へ）ガスを循環させることが可能になる。逆に、逆流防止装置５は、出口から入口へガスが循環するのを防ぐ。
【０１１３】
以下の説明は、より具体的にはフィルタ装置６に関し、フィルタ装置６は、このフィルタ装置６の内部を循環するガスを濾過する機能を満たし、上部チャンバ７６１の内部に収容され、中間チャンバ７６２に開口する入口を有するフィルタカートリッジ６０を備える。
【０１１４】
また、フィルタ装置６は、閉じた蓋を形成するブラケット１８０をさらに備え、ブラケット１８０は、前述の逆流防止装置５のブラケット１８０と同一である。
【０１１５】
フィルタカートリッジ６０は、上部チャンバ７６１内に配置された下部支持体６１と上部支持体６２の間に挟まれている。
【０１１６】
下部支持体６１は、Ｏリングガスケットに包囲されることにより第２上部スリーブ７２の内部に静止して密に取り付けられ、この下部支持体６１は、内部ショルダ７６２に上部貫通穴７２０の下方で当接する。
【０１１７】
上部支持体６２は、Ｏリングガスケットに包囲されることにより上部継手７０の内部に静止して密にと離付けられ、この上部支持体６２は、ブラケット１８０のキャップ１８２に当接する。
【０１１８】
図２６から図２８に示すように、加圧ガスを分配及び調整するためのキットを構成することが可能であり、このキットは、
全てが同一の複数のモジュール１と、
これらのモジュール１に適切なドリル穴２６が設けられると、そしてこれらのモジュール１がサブプレート１５同士を締結することによって連結されると、モジュール１の本体１０の内部チャンバ２を通過するガスを分配または調整する複数の分配または調整装置３ａ，３ｂ，４ａ，４ｂ，４ｃ，５，６と、
を有する。
【０１１９】
したがって、完全に独立したこのようなキットにより、特に燃料電池タンクへ充填するための気体水素分配ステーションに加圧ガスを分配及び調整するためのシステム１００を構築することが可能であり、システム１００は、
少なくとも１つの隣接するモジュール１のサブプレート１５に、モジュールの少なくとも１つのサブプレート１５を締結することにより、互いに締結されたサブプレート１５の中央穴１８が連通する状態で、複数のモジュール１が連結され、
分配または調整装置３ａ，３ｂ，４ａ，４ｂ，４ｃ，５，６が、内部チャンバ２内にそれらのカートリッジ7が収容される状態で、且つブラケット８，８０，１８０がモジュール１の上面１３に締結される状態で、すべてまたは一部のモジュール１の本体１０に締結され、
他のサブプレート１５に締結されるサブプレート１５の中央穴１８にドリル穴２６が形成され、そのようなドリル穴２６は、連結されたモジュール１の分配または調整装置３ａ，３ｂ，４ａ，４ｂ，４ｃ，５，６を連絡状態に設定するために、対応するモジュール１の内部チャンバ２の上部ボア２１または中間ボア２２に開口する連絡通路を形成する。
【０１２０】
図２６の例では、分配及び調整システム１００は、入口から出口に向かって、手動アクチュエータ４ａを備えるブロックバルブ、逆流防止装置５、空気圧設定部３ｂを備える圧力調整器、及び電動アクチュエータ４ｃを備えるブロックバルブを連続して支持する４つのモジュール１を備える。最初のモジュール１はサブプレート１５の入口に締結される入口コネクタＲＥを入口で支持し、最後のモジュール１はサブプレート１５の出口に締結される出口コネクタＲＳを出口で支持する。
【０１２１】
図２７及び図２８の例では、分配及び調整システム１００は、手動アクチュエータ４ａを備えるブロックバルブ、空気圧アクチュエータ４ｂを備えるブロックバルブ、または機械設定部３ａを備える圧力調整器のいずれかを支持するモジュール１を有する。
【０１２２】
入口及び出口コネクタＲＥ、ＲＳも、一部のモジュール１のサブプレートに締結することによって構成される。
【０１２３】
図２７及び図２８の例では、分配及び調整システム１００は、一般的な直方体の形状を有する本体２０１を含む金属材料で作られた一体部品によってそれぞれが形成されるコレクタ２００も含み、コレクタ２００は、
連結された２つのモジュール１の長さと同等の長さをそれぞれが有する４つの長手方向面２０２と、
モジュール１の面の寸法と同等の寸法を有する２つの端面２０３であって、それぞれに、モジュール１のサブプレート１５と同一のサブプレート２０４が設けられる端面０３と、を有する。
【０１２４】
コレクタ２００は、平行な２つの長手方向面２０２に開口する内部チャンバ２０５を有し、その形状及び寸法は、モジュール１の内部チャンバ２の形状及び寸法と同等である。そのため、分配または調整装置３ａ，３ｂ，４ａ，４ｂ，４ｃ，５，６は、そのようなコレクタ２００に収容されて締結されることが可能で、コレクタ２００のドリル穴２０６を形成することは連絡をするために必要であり、ドリル穴２０６の数と配置は、図３０に模式化された複数の構成を可能にする。
【０１２５】
コレクタ２００により、図２７及び図２８に示すように、２つの長手方向面２０２上で２つのモジュール１を対にすることも可能になる。このことに関して、ブラケットを締結するためにこれらの長手方向面２０２にネジ穴が設けられ、ガスの循環のためにコレクタにドリル穴が設けられる。
【０１２６】
また、コレクタ２００は、圧力計ＭＡまたは温度プローブＳＴなどのプローブも、入口コネクタＲＥ及び出口コネクタＲＳも、受け入れることができる。
【０１２７】
したがって、本発明によれば、地上設備（例えば、充填ステーション、搬送ステーション、製造施設、貯蔵施設など）及び機内設備（例えば、供給車両など）のための分配及び調整システム１００を作ることが可能になる。
【０１２８】
また、本発明によれば、
前述した互換性は言うまでもなく、ユニバーサルモジュール１と、これもユニバーサルのカートリッジ７を用いて、標準化と統合化及びモジュール化を非常に高いレベルにすることができ、
小型のモジュール１と分配または調整装置３ａ，３ｂ，４ａ，４ｂ，４ｃ，５，６を用いて高レベルの小型化が可能になり、
接続リンクと溶接組み立てをやめることにより安全性を高レベルにすることが可能になり、
さらに、分配または調整デバイス３ａ，３ｂ，４ａ，４ｂ，４ｃ，５，６のメンテナンス及び／または交換の容易さにより、高レベルのサービスレートを保証することが可能になる。
【図１】
2020532696.tif 000003
【図２】
2020532696.tif 000004
【図３】
2020532696.tif 000005
【図４】
2020532696.tif 000006
【図５】
2020532696.tif 000007
【図６】
2020532696.tif 000008
【図７】
2020532696.tif 000009
【図８】
2020532696.tif 000010
【図９】
2020532696.tif 000011
【図１０】
2020532696.tif 000012
【図１１】
2020532696.tif 000013
【図１２】
2020532696.tif 000014
【図１３】
2020532696.tif 000015
【図１４】
2020532696.tif 000016
【図１５】
2020532696.tif 000017
【図１６】
2020532696.tif 000018
【図１７】
2020532696.tif 000019
【図１８】
2020532696.tif 000020
【図１９】
2020532696.tif 000021
【図２０】
2020532696.tif 000022
【図２１】
2020532696.tif 000023
【図２２】
2020532696.tif 000024
【図２３】
2020532696.tif 000025
【図２４】
2020532696.tif 000026
【図２５】
2020532696.tif 000027
【図２６】
2020532696.tif 000028
【図２７】
2020532696.tif 000029
【図２８】
2020532696.tif 000030
【図２９】
2020532696.tif 000031
【図３０】
2020532696.tif 000032
【国際調査報告】
2020532696.tif 000033
2020532696.tif 000034
2020532696.tif 000035
2020532696.tif 000036
2020532696.tif 000037
2020532696.tif 000038